(57)【要約】【課題】同時録画可能な時間を拡大可能な記録制御装置および記録制御方法を提供する。【解決手段】記録制御装置は，複数の放送チャンネルから記録する放送チャンネルを選択するための第１の項目と，選択された放送チャンネルでの記録時間範囲を設定するための第２の項目とを同時に提示する提示部と，前記提示に基づいて選択された放送チャンネルおよび設定された記録時間範囲を記憶するテーブルと，前記テーブルに従って，前記選択された放送チャンネルの信号の，記録媒体部への記録を制御する記録制御部と，を具備する。【選択図】図１
2011061250.tif 000002
【特許請求の範囲】
【請求項１】
複数の放送チャンネルから記録する放送チャンネルを選択するための第１の項目と，選択された放送チャンネルでの記録時間範囲を設定するための第２の項目とを同時に提示する提示部と，
前記提示に基づいて選択された放送チャンネルおよび設定された記録時間範囲を記憶するテーブルと，
前記テーブルに従って，前記選択された放送チャンネルの信号の，記録媒体部への記録を制御する記録制御部と，
を具備することを特徴とする記録制御装置。
【請求項２】
前記選択された放送チャンネルの信号に含まれる番組の情報を蓄積する蓄積部と，
前記蓄積される番組情報から，前記放送チャンネルに対応する番組表を生成する生成部，
をさらに具備することを特徴とする請求項１記載の記録制御装置。
【請求項３】
前記テーブルに対応して，前記生成部が前記記録時間範囲と前記記録時間範囲以外の範囲とを区分して表す番組表を生成する，
ことを特徴とする請求項２に記載の記録制御装置。
【請求項４】
前記記録媒体部に記録される放送チャンネルの信号の優先順位を表す第２のテーブルと，
前記優先順位に従って，前記記録媒体部から前記選択された放送チャンネルの信号を消去する消去部と，
をさらに具備することを特徴とする請求項１乃至３のいずれか１の請求項に記載の記録制御装置。
【請求項５】
前記優先順位が，放送チャンネル，または録画時間範囲である，
ことを特徴とする請求項４記載の記録制御装置。
【請求項６】
前記優先順位が，前記放送チャンネルに対応する番組の付随情報であり，
前記番組の付随情報に基づいて，前記消去部が，前記記録媒体部から前記選択された放送チャンネルの信号を番組単位で消去する，
ことを特徴とする請求項４記載の記録制御装置。
【請求項７】
単一の放送チャンネルと，この放送チャンネルの信号を記録する第２の記録時間範囲を表す第３のテーブルと，
前記第３のテーブルに従って，前記単一の放送チャンネルの信号の，前記記録媒体部への記録を制御する第２の記録制御部と，
をさらに具備することを特徴とする請求項１乃至６のいずれか１項に記載の記録制御装置。
【請求項８】
前記選択された放送チャンネルの信号の，記録媒体部への記録の有無を表す情報を入力する入力部と，
前記情報に従って，前記選択された放送チャンネルの信号を記録する第１の領域と，前記単一の放送チャンネルの信号を記録する第２の領域と，を前記記録媒体部に確保する領域確保部と，
をさらに具備することを特徴とする請求項７記載の記録制御装置。
【請求項９】
前記情報が前記選択された放送チャンネルの信号を記録しないことを表し，かつ前記第１，第２の領域の双方が確保されている場合，前記領域確保部が前記第１の領域を解消し，前記第２の領域を拡張し，
前記第３の情報が前記選択された放送チャンネルの信号を記録することを表し，かつ前記第２の領域のみが確保されている場合，前記領域確保部が前記第２の領域の一部を解消し，前記第１の領域を確保する，
ことを特徴とする請求項８記載の記録制御装置。
【請求項１０】
複数の放送チャンネルから記録する放送チャンネルを選択するための第１の項目と，選択された放送チャンネルでの記録時間範囲を設定するための第２の項目とを同時に提示するステップと，
前記提示に基づいて選択された放送チャンネルおよび設定された記録時間範囲を記憶するテーブルに従って，前記選択された放送チャンネルの信号の，記録媒体部への記録を制御するステップと，
を具備することを特徴とする記録制御方法。
【発明の詳細な説明】
【技術分野】
【０００１】
本発明は，記録制御装置および記録制御方法に関する。
【背景技術】
【０００２】
録画装置に搭載される記録媒体（例えば，ＨＤＤ（Hard Disk Drive））の容量が増大したことで，自動録画機器への関心が高まっている。自動録画機器では，録画したい番組をユーザが設定せずに，複数チャンネルの画像／音声信号を同時に記録し続けること（同時録画，または丸ごと録画）が可能である。例えば，受信可能な全てのチャンネルでの一週間分の全ての番組がＨＤＤに録画される。
【０００３】
なお，ループ録画（通常の録画用の領域とは別個の領域内に，通常の録画とは独立して上書き録画を繰り返す）の技術が開示されている（特許文献１，段落０００３参照）
【先行技術文献】
【特許文献】
【０００４】
【特許文献１】特開２００８−１６５８５９号公報
【発明の概要】
【発明が解決しようとする課題】
【０００５】
ところで，同時録画での録画可能時間は，録画する記録媒体の容量，録画する画質などに依存する。
しかしながら，記録媒体の容量の関係で，例えば，同時録画可能な範囲が一日分に制限される。
【０００６】
本発明は，同時録画可能な時間を拡大可能な記録制御装置および記録制御方法を提供することを目的とする。
【課題を解決するための手段】
【０００７】
本発明の一態様に係る記録制御装置は，複数の放送チャンネルから記録する放送チャンネルを選択するための第１の項目と，選択された放送チャンネルでの記録時間範囲を設定するための第２の項目とを同時に提示する提示部と，前記提示に基づいて選択された放送チャンネルおよび設定された記録時間範囲を記憶するテーブルと，前記テーブルに従って，前記選択された放送チャンネルの信号の，記録媒体部への記録を制御する記録制御部と，を具備する。
【０００８】
本発明の一態様に係る記録制御方法は，複数の放送チャンネルから記録する放送チャンネルを選択するための第１の項目と，選択された放送チャンネルでの記録時間範囲を設定するための第２の項目とを同時に提示するステップと，前記提示するステップに基づいて設定された放送チャンネルおよび記録時間範囲を記憶するテーブルに従って，前記選択された放送チャンネルの信号の，記録媒体部への記録を制御するステップと，を具備する。
【発明の効果】
【０００９】
本発明によれば，同時録画可能な時間を拡大可能な記録制御装置および記録制御方法を提供できる。
【図面の簡単な説明】
【００１０】
【図１】本発明の実施の一形態にかかる録画再生システム１０の構成を示すブロック図である。
【図２】メタデータの一例を表す摸式図である。
【図３】番組データベース部１３１に蓄積される番組の情報を示す模式図である。
【図４】同時録画の設定用のメニュー画面の一例を表す模式図である。
【図５】同時録画のＯＮ／ＯＦＦを設定する入力画面の一例を表す模式図である。
【図６】チャンネルを設定する入力画面の一例を表す模式図である。
【図７】曜日を設定する入力画面の一例を表す模式図である。
【図８】時間を設定する入力画面の一例を表す模式図である。
【図９】プライオリティを設定する入力画面の一例を表す模式図である。
【図１０】番組のジャンル毎のプライオリティを設定する入力画面の一例を表す模式図である。
【図１１】連続録画できる日数を表示する画面の一例を表す模式図である。
【図１２】同時録画の設定用のメニュー画面の他の例を表す模式図である。
【図１３】時間を設定する入力画面の他の例を表す模式図である。
【図１４】開始時間，終了時間を設定する入力画面の一例を表す模式図である。
【図１５】同時録画された番組の番組表の一例を表す模式図である。
【図１６】再生する番組の放送日時を指定するための画面の一例を表す模式図である。
【発明を実施するための形態】
【００１１】
図１は，本発明の実施の一形態にかかる録画再生システム１０の構成を示すブロック図である。録画再生システム１０は，録画再生装置１００，表示部２００，リモートコントローラ３００を備える。
【００１２】
録画再生装置１００は，放送信号を同時録画（複数チャンネルの信号を同時に記録）および通常録画（単一チャンネルの信号を個別に記録）し，再生する装置（例えば，レコーダ，デジタルＴＶ）である。即ち，録画再生装置１００は，選択された複数または単一のチャンネルの信号を指定された開始時刻から終了時刻まで録画し，再生できる。
【００１３】
表示部２００は，液晶表示装置，プラズマ表示装置等の外部モニタである。リモートコントローラ３００は，ユーザの入力に基づき，録画再生装置１００を制御するための無線（赤外線，電波）信号を送信する。
【００１４】
録画再生装置１００は，チューナ１０１（１０１Ａ〜１０１Ｈ），１０２，１０３，ＴＳ分離部１１１，デスクランブラ部１１２，記録再生制御部１１３，記録媒体部１１４，ＡＶデコード部１２１，表示処理部１２２，番組データベース部１３１，番組表処理部１３２，入力処理部１３３を有する。
【００１５】
チューナ１０１，１０２，１０３は，放送信号（例えば，地上デジタル放送またはＢＳ／ＣＳデジタル放送）からチャンネル（ＣＨ）の信号Ｓａ〜Ｓｈ，Ｓ２，Ｓ３（チャンネル（ＣＨ）毎のＴＳ（Ｔｒａｎｓｐｏｒｔ  Ｓｔｒｅａｍ））を選択して，ＴＳ分離部１１１に出力する。
【００１６】
チューナ１０１は，全体として，複数のチャンネルの映像・音声信号を同時に選択し，出力する同時録画用のチューナモジュールであり，放送信号から複数チャンネルの信号を選択する選択部として機能する。チューナ１０１は，単一のチャンネルの信号Ｓａ〜Ｓｈをそれぞれ選択する８つのチューナ１０１Ａ〜１０１Ｈを有する。これらの信号Ｓａ〜Ｓｈの記録の開始，終了は，一括で制御され，信号Ｓａ〜Ｓｈ個別では制御されない。
【００１７】
チューナ１０２，１０３はそれぞれ，単一のチャンネルの信号Ｓ２，Ｓ３を選択する通常録画用のチューナモジュールであり，放送信号から単一チャンネルの信号を選択する第２の選択部として機能する。信号Ｓ１，Ｓ２それぞれの記録の開始，終了は，個別に（他の信号と独立して）制御される。
【００１８】
ＴＳ分離部１１１は，チャンネルの信号（ＴＳ）から暗号化情報であるＥＣＭ（Entitlement  Control  Message）と，番組名，ジャンル（例えば，映画，スポーツ，ニュース），出演者，開始時刻，終了時刻などのイベント情報を記述したテーブルであるＥＩＴ（Event  Information  Table）とを分離する。ＥＩＴの利用に関しては後述する。
【００１９】
デスクランブラ部１１２は，チャンネルの信号（ＴＳ）をデスクランブルし，記録再生制御部１１３に出力する。
【００２０】
記録再生制御部１１３は，デスクランブルされたＴＳを記録媒体部１１４に記録する。記録再生制御部１１３は，記録媒体部１１４に記録された放送番組の信号であるＴＳを再生し，ＡＶデコード部１２１へ出力する。
【００２１】
記録再生制御部１１３は，メタデータをチャンネルごとに作成し，放送番組の信号と共に，記録媒体部１１４に記録する。図２は，メタデータの一例を表す。メタデータは，記録媒体部１１４の物理的な領域における記録位置（物理アドレス）と時刻情報と番組情報とを関連付けたデータである。ここでは，同時録画（信号Ｓａ〜Ｓｈの録画）用のチューナ１０１（１０１Ａ〜１０１Ｈ）に対応するチャンネルＣＨ１〜ＣＨ８それぞれについて，番組情報，時刻情報，物理アドレスが対応して表される。この例では，５秒毎に記録位置（物理アドレス）を記録している。なお，番組情報は，ＥＩＴから取得可能である。
【００２２】
一方，通常録画では，メタデータを番組ごとに作成し，放送番組の信号と共に，記録媒体部１１４の領域Ａ２に記録する。同時録画と通常録画では，メタデータの区分および記憶する領域Ａ１，Ａ２が異なる。同時録画および通常録画それぞれで，メタデータは複数チャンネルおよび単一チャンネルに対応する。
【００２３】
記録再生制御部１１３は，次のように機能する。
・テーブルに従って，前記選択される複数チャンネルの信号の，記録媒体部への記録を制御する記録制御部
・優先順位に従って，前記記録媒体部から前記選択される複数チャンネルの信号を消去する消去部
・第３のテーブルに従って，単一チャンネルの信号の，前記記録媒体部への記録を制御する第２の記録制御部
・第３の情報に従って，前記複数チャンネルの信号を記録する第１の領域と，前記単一チャンネルの信号を記録する第２の領域と，を前記記録媒体部に確保する領域確保部
【００２４】
記録媒体部１１４は，ＨＤＤ，光ディスク，ＳＤ（登録商標）カード等の記録媒体であり，記録再生制御部１１３からの放送信号としてのＴＳを記録する。記録媒体部１１４は，録画再生装置１００に内蔵されず，ＵＳＢ（Universal Serial Bus）やＬＡＮ(Local Area Network)等で接続されていてもよい。
記録媒体部１１４は，同時録画，通常録画それぞれに対応する領域Ａ１，Ａ２を有する。
【００２５】
記録媒体部１１４は，次のテーブルを記録する。
・選択された放送チャンネルおよび設定された記録時間範囲を記憶するテーブル
・記録媒体部に記録される複数チャンネルの信号の優先順位を表す第２のテーブル
・単一の放送チャンネルと，この放送チャンネルの信号を記録する第２の記録時間範囲を表す第３のテーブル
【００２６】
ＡＶデコード部１２１は，チューナ１０１，１０２，１０３で選択された信号または記録再生制御部１１３で再生された信号をＡＶ情報（映像および音声）へデコードし，表示処理部１２２に出力する。
【００２７】
表示処理部１２２は，表示部２００にＡＶ情報を出力し，映像を表示させる。また，表示処理部１２２は，ＯＳＤ（On  Screen  Display）等によりユーザへの情報を提示するための，ＧＵＩ（Graphical  User  Interface）機能を有する。このＧＵＩ機能により，後述するメニュー，番組表などが表示部２００に表示される。表示処理部１２２は，複数の放送チャンネルから記録する放送チャンネルを選択するための第１の項目と，選択された放送チャンネルでの記録時間範囲を設定するための第２の項目とを同時に提示する提示部として機能する。
【００２８】
番組データベース部１３１は，ＴＳ分離部１１１で分離されたＥＩＴを入力し，番組の情報として蓄積するものであり，選択される前記複数チャンネルの信号に含まれる番組の情報を蓄積する蓄積部として機能する。図３は，番組データベース部１３１に蓄積される番組の情報を示す模式図である。図３に示すように，チャンネル，日，開始時刻，終了時刻，タイトル，ジャンル，記録状況などの情報が番組毎に対応して，蓄積される。
【００２９】
番組表処理部１３２は，番組データベース部１３１から番組の情報（記録媒体部１１４に記録された番組および今後放送される番組の情報）を受け取り，番組表を作成する。番組表処理部１３２は，蓄積される番組情報から，前記複数チャンネルに対応する番組表を生成する生成部として機能する。
【００３０】
入力処理部１３３は，リモートコントローラ３００からの，ユーザの各種入力（同時録画の設定，番組表上での再生番組の指定）を受け付ける。なお，入力処理部１３３は，録画再生装置１００に取り付けられた固定の操作パネル（図示せず）からのユーザ入力を受け付けてもよい。
【００３１】
入力処理部１３３は，選択された放送チャンネルの信号の，記録媒体部への記録の有無を表す情報を入力する入力部として機能する。
【００３２】
（録画再生システム１０の動作）
以下，録画再生システム１０の動作について説明する。
Ａ．同時録画の設定
入力処理部１３３からの入力により，同時録画の設定が開始される。
図４は，同時録画の設定用のメニュー画面の一例を表す模式図である。メニュー画面に，「ＯＮ／ＯＦＦ設定」，「チャンネル設定」，「曜日／時間設定」，「プライオリティ設定」，「連続録画日数表示」の項目が表示される。リモートコントローラ３００を用いて，これらの項目のいずれかを選択できる。選択された項目に対応して，時間範囲，優先順位（プライオリティ）等を表すテーブルが生成され，記録媒体部１１４に保持される
【００３３】
（１）同時録画のＯＮ／ＯＦＦ設定
メニュー画面で「ＯＮ／ＯＦＦ設定」が選択されると，図５に示す入力画面に移行し，同時録画のＯＮ／ＯＦＦを設定できる。この入力画面において，リモートコントローラ３００を用いて，「ＯＮ」ボタンまたは「ＯＦＦ」ボタンが選択される。なお，同時録画のＯＮ／ＯＦＦが未設定な初期状態では，同時録画ＯＮとしてもよい。
【００３４】
同時録画ＯＮに設定した場合，記録媒体部１１４に領域Ａ１，Ａ２が確保される。一方，同時録画ＯＦＦに設定した場合，記録媒体部１１４に領域Ａ２のみが確保される。領域Ａ１を必要としないため，広い領域Ａ２を確保できる。
【００３５】
この設定の結果，同時録画ＯＦＦからＯＮに変更された場合，領域Ａ２の一部を削減して，領域Ａ１に割り当てることができる。一方，同時録画ＯＮからＯＦＦに変更された場合，領域Ａ１自体を削除して，領域Ａ２に割り当て，領域Ａ２を広くすることができる。
【００３６】
同時録画ＯＮに設定した場合，次の各種設定（２）〜（５）が可能となる。なお，同時録画ＯＦＦに設定した場合，以下の設定を選択不能とできる。
【００３７】
（２）チャンネルの設定
メニュー画面で「チャンネル設定」が選択されると，図６に示す入力画面に移行し，チャンネルを設定できる。即ち，チューナ１０１Ａ〜１０１Ｈそれぞれにどのチャンネルを割り当てるか，またそのＯＮ／ＯＦＦを決定する。この図では，チューナ１０１Ａ〜１０１Ｈそれぞれにチャンネルｃｈ１〜ｃｈ８（ＡＢＣ放送〜ＨＩＪ放送）が割り当てられている。また，チューナ１０１Ｂでは，チャンネルｃｈ２は割り当てられているが，ＯＦＦ状態であり，チューナ１０１ＢからのＴＳは記録されない。即ち，「チャンネル設定」でのＯＮ／ＯＦＦは，チューナ１０１Ａ〜１０１ＨそれぞれからのＴＳの記録の有無を制御する。
【００３８】
（３）曜日／時間の設定
メニュー画面で「曜日／時間設定」が選択されると，図７に示す入力画面に移行し，曜日設定が可能となる。さらに，図７に示す入力画面での設定が終了すると，図８に示す入力画面に移行し，時間設定が可能となる。
【００３９】
「曜日設定」画面は，各曜日での録画の有無を選択するためのものである。ここでは，日曜日，火曜日〜土曜日を録画有り，火曜日を録画無しとしている。
【００４０】
「時間設定」画面は，毎日での録画の開始時刻および終了時刻を入力するためのものである。ここでは，録画の開始時刻，終了時刻をそれぞれ１２時，２４時とし，１２時間の連続録画を可能としている。
【００４１】
「曜日／時間設定」は，チューナ１０１Ａ〜１０１Ｈ共通での広義の録画時間範囲（曜日または時間）を設定できる。即ち，チューナ１０１Ａ〜１０１Ｈからの出力が「曜日／時間設定」でのタイミングに従って，同時にＯＮ／ＯＦＦされる。
【００４２】
（４）プライオリティの設定
メニュー画面で「プライオリティ設定」が選択されると，図９に示す「プライオリティ設定」入力画面に移行し，プライオリティを設ける項目のＯＮ／ＯＦＦを設定できる。
このプライオリティは，録画した番組の重要度を表すパラメータであり，後述のように，プライオリティの低い番組から記録媒体部１１４内から消去される。ここでは，チャンネル，ジャンル，出演者へのプライオリティの設定を可能としている。
【００４３】
「プライオリティ設定」入力画面で，例えば，「ジャンル」をＯＮとすると，図１０に示す入力画面に移行し，番組のジャンル毎にプライオリティを設定できる。ここでは，映画，スポーツ，ニュースそれぞれに，１０，６，１のプライオリティを設定している。なお，このプライオリティ設定はあくまで一例である。
【００４４】
このように，複数の項目に対するプライオリティの設定が可能である。このように，複数のプライオリティが設定される場合，例えば，次の式（１）を用いて，番組毎のプライオリティＰｔが算出される。
Ｐｔ＝Ｐ１＊Ｐ２＊Ｐ３      ……  式（１）
Ｐ１：  項目１のプライオリティ
Ｐ２：  項目１のプライオリティ
Ｐ３：  項目１のプライオリティ
なお，ＯＦＦとされた項目でのプライオリティは１とする。
【００４５】
後述のように，式（１）で算出されたプライオリティＰｔに基づいて，記録媒体部１１４に記録された番組が削除される。
【００４６】
（５）連続録画日数の表示
メニュー画面で「連続録画日数」が選択されると，連続録画できる日数を表示する（図１１）。
【００４７】
以上の画面に替えて，他のメニュー画面を用いることも可能である。
図１２は，同時録画の設定用のメニュー画面の他の例を表す模式図である。この画面では，ボタンＢ１，Ｂ２によって，同時録画の有無（ＯＮ／ＯＦＦ）を設定できる。また，ボタンＢ３，Ｂ４により，チャンネル設定と時間設定を選択できる。
【００４８】
図１２では，これに加えて，チャンネルと録画時間の設定状態を同時に確認できる。チャンネル，録画時間それぞれの設定状態を表す表示領域Ｇ１，Ｇ２が表される。表示領域Ｇ１に，チューナ１０１Ａ〜１０１Ｈそれぞれと，チャンネル（ｃｈ１〜ｃｈ８），放送局（ＡＢＣ放送〜ＨＩＪ放送），録画の有無（ＯＮ／ＯＦＦ）が対応して表される。表示領域Ｇ２に，バーＬ０，Ｌ１，ＬＢ２が表される。バーＬ０は，ＡＭ０：００〜ＰＭ１２：００に対応する。バーＬ０中に，設定された録画時間を表すバーＬ１，Ｌ２が表される。
【００４９】
図１３は，「時間設定」メニュー画面の他の例を表す模式図である。画面上に表示領域Ｇ３，アイコンＩ１〜Ｉ６が表される。
表示領域Ｇ３は，図１２の表示領域Ｇ２と同様に，時間設定の状況を表す。即ち，ＡＭ０：００〜ＰＭ１２：００に対応するバーＬ０中に，設定された録画時間を表すバーＬ１，Ｌ２が表される。このバーＬ１，Ｌ２はそれぞれ，アイコンＩ１，Ｉ２それぞれで設定された録画時間に対応する。
【００５０】
アイコンＩ１〜Ｉ５はそれぞれ，録画の開始時刻，終了時刻を設定，表示するためのものである。リモートコントローラ３００を用いて，アイコンＩ１〜Ｉ５を選択すると，図１４の入力画面が表示される。この入力画面には，アイコンＩ１１〜Ｉ１３が表される。アイコンＩ１１は開始時刻，終了時刻の入力の終了を表す。アイコンＩ１２，Ｉ１３はそれぞれ，開始時刻，終了時刻の入力のためのアイコンである。アイコンＩ１２，Ｉ１３を用いて，開始時刻，終了時刻を入力し，アイコンＩ１１をクリックすると，図１３の画面が再び表示される。
【００５１】
なお，アイコンＩ１〜Ｉ５に重複する録画時間を設定することも可能である。この場合，複数の録画時間が一体として取り扱われる。例えば，アイコンＩ３，Ｉ４に対応して，録画時間「ＰＭ５：００〜ＰＭ９：００」，「ＰＭ８：００〜ＰＭ１１：００」が設定された場合，「ＰＭ８：００〜ＰＭ９：００」の間は，アイコンＩ３，Ｉ４での録画時間が重複する。この場合，アイコンＩ３，Ｉ４で設定された録画時間の全体「ＰＭ５：００〜ＰＭ１１：００」において，連続して録画がなされる。即ち，開始時刻ＰＭ５：００，終了時刻ＰＭ１１：００とした場合と同様の動作となり，アイコンＩ３，Ｉ４それぞれでの終了時刻ＰＭ９：００，開始時刻ＰＭ８：００でのＯＮ／ＯＦＦ動作はなされない。
【００５２】
Ｂ．同時録画
設定に従って，同時録画が実行される。即ち，「チャンネル設定」，「曜日／時間設定」に従って，チューナ１０１Ａ〜１０１Ｈから出力される信号が記録される。即ち，設定された複数のチャンネルについて，曜日／時間の設定に従い，チューナ１０１Ａ〜１０１Ｈからの信号の記録の有無が一括して制御される。 なお，放送中の番組を同時録画しながら再生してもよい（同時録再）。
【００５３】
既述のように，複数の録画時間が設定された場合，録画時間が重複する範囲では，チューナ１０１Ａ〜１０１Ｈからの信号の記録の有無は制御されない。原則として，アイコンＩ１〜Ｉ５それぞれで設定された録画開始時刻，録画終了時刻に対応して，記録が開始，終了する。但し，この開始，終了の際に，録画時間の重複が確認され，録画時間が重複している範囲では，録画の開始，終了の制御は停止される。
【００５４】
以上のように，同時記録に際して，録画するチャンネル，録画する曜日，時間を設定できる。この結果，例えば，1日分の記憶容量の領域Ａ１に，１日分以上の時間録画できる。具体的には，領域Ａ１が２４時間６チャンネル分の放送を同時に録画し続けることができるとする。ユーザが０時〜１２時までの番組を録画しておく必要が無い場合，１２時〜２４時の番組のみを録画すればよい。この場合，使用する領域Ａ１の容量は半分で済む。ここで残りの使わなくなった半分を更に有効活用し，今まで「２４時間＝１日」しか予約できなかったものを「２日」分まで録画しておくことができる。
【００５５】
例えば，全チャンネル，毎日，２４時間（丸１日）録画し続けることが出来る機器の場合，チャンネル数を半分，録画時間を半分に設定すると連続録画日数は４日分になる。
【００５６】
Ｃ．番組の削除
記録媒体部１１４の容量が不足した場合，古いチャンネルの信号（ＴＳ）から順に，一定時間（例えば，３０分）の塊で領域Ａ１から削除される。例えば，領域Ａ１に２４時間分の容量が有る場合，２４時間を越える古いチャンネルの信号（ＴＳ）は，新しいチャンネルの信号（ＴＳ）で上書き録画される。
【００５７】
ここで，番組の削除の順に，設定されたプライオリティを加味することができる。即ち，記録されてからの経過時間と，設定されたプライオリティの双方に基づいて，削除する番組を決定する。このようにすることで，ユーザの興味のある番組をできるだけ長く保存しておくことが可能になる。
【００５８】
例えば，次の式（２）に基づいて算出される重要度係数Ｒが小さい順に番組を削除する。
Ｒ＝Ｐｔ／Ｔ              ……（２）
Ｐｔ：プライオリティ（式（１）で算出）
Ｔ：  記録されてからの経過時間
【００５９】
Ｄ．番組表の生成
同時録画された番組の番組表を生成，表示できる。
図１５は，番組表の表示例を示す正面図である。この番組表では，画面の上下方向に時間軸を設定し，画面の左右方向に放送局を表す欄（「ＡＢＣ放送」〜「ＨＩＪ放送」）を設定している。放送日，放送時間，番組が対応して表される。
【００６０】
番組表中には，チャンネルおよび録画時間の設定の有無が示される。ここでは，放送時間「ＡＭ３：００〜ＰＭ６：００」および「ＢＣＤ放送」は，録画対象でないことから，暗く表示されている（グレーダウン）。これら録画対象外の項目は，この画面から消してもよい。ここでは，特定の放送時間を録画しない場合を表している。曜日単位で録画の有無を設定している場合，曜日単位で同様の表示とすることができる。
【００６１】
Ｅ．番組の再生
同時録画された番組は，次のように再生等の処理が可能である。
（１）再生，停止，一時停止
（２）特殊再生（早送り／早戻し）。
（３）スキップ操作（前後の番組の先頭にジャンプ）
（４）前後の番組との連続再生
（５）情報表示（タイトル，詳細情報，コピー世代情報など）
【００６２】
番組表を用いて，再生する番組を選択できる。番組表から，番組を選択すると，次のように処理が進められる。
・その番組のＣＨおよび開始時刻に対応するメタデータを記録再生制御部１１３が記録媒体部１１４から検索し，検索したメタデータに基づいてチャンネルの再生開始位置を算出する。
・算出した再生開始位置のデータ（ＴＳ）を記録媒体部１１４から読み出す。
・読み出したＴＳをＡＶデコード部１２１に入力させて番組表で選択された番組の映像を表示部２００に表示させて再生する
【００６３】
番組ではなく，放送日時を指定して番組を再生してもよい。
図１６は，再生する番組の放送日時を指定するための画面である（日時指定ジャンプ）。ここでは，1日を３つの時間帯に区分し，これらの時間帯から番組を選択可能としている。ここで，録画対象でない，放送時間およびチャンネル（「ＢＣＤ放送」）は，暗く表示されている（グレーダウン）。
【００６４】
（その他の実施形態）
本発明の実施形態は上記の実施形態に限られず拡張，変更可能であり，拡張，変更した実施形態も本発明の技術的範囲に含まれる。
例えば，録画再生装置１００の要素（チューナ１０１，１０２，１０３，ＴＳ分離部１１１，デスクランブラ部１１２，記録再生制御部１１３，ＡＶデコード部１２１，番組データベース部１３１，番組表処理部１３２，表示処理部１２２）は，ハードウェア，ソフトウェアのいずれで実現しても良い。即ち，制御部であるＣＰＵ（図示せず）等および記憶部（図示せず）に記憶されたソフトウェアプログラムを用いて，録画再生装置１００を実現できる。
【符号の説明】
【００６５】
１０…録画再生システム，１００…録画再生装置，１０１（１０１Ａ-１０１Ｈ），１０２，１０３…チューナ，１１１…分離部，１１２…デスクランブラ部，１１３…記録再生制御部，１１４…記録媒体部，１２１…デコード部，１２２…表示処理部，１３１…番組データベース部，１３２…番組表処理部，１３３…入力処理部，２００…表示部，３００…リモートコントローラ
【図１】
2011061250.tif 000003
【図２】
2011061250.tif 000004
【図３】
2011061250.tif 000005
【図４】
2011061250.tif 000006
【図５】
2011061250.tif 000007
【図６】
2011061250.tif 000008
【図７】
2011061250.tif 000009
【図８】
2011061250.tif 000010
【図９】
2011061250.tif 000011
【図１０】
2011061250.tif 000012
【図１１】
2011061250.tif 000013
【図１２】
2011061250.tif 000014
【図１３】
2011061250.tif 000015
【図１４】
2011061250.tif 000016
【図１５】
2011061250.tif 000017
【図１６】
2011061250.tif 000018
【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
複数の放送チャンネルから記録する放送チャンネルを選択するための第１の項目と，前記選択された放送チャンネルに対応する記録時間範囲を設定するための第２の項目とを同時に提示するように構成される提示部と，
前記選択された放送チャンネルおよび前記記録時間範囲を記憶するように構成されるテーブルと，
前記テーブルに従って，前記選択された放送チャンネルの信号の，記録媒体への記録を制御するように構成される記録制御部と，
を具備することを特徴とする記録制御装置。
【請求項２】
前記選択された放送チャンネルの信号中の番組の情報を蓄積するように構成される蓄積部と，
前記蓄積される番組情報に基づいて，前記複数の放送チャンネルに対応する番組表を生成するように構成される番組表生成部，
をさらに具備することを特徴とする請求項１記載の記録制御装置。
【請求項３】
前記テーブルに対応して，前記番組表生成部が，前記記録時間範囲と前記記録時間範囲以外の範囲とを区分して表す番組表を生成するように構成される，
ことを特徴とする請求項２に記載の記録制御装置。
【請求項４】
前記記録媒体に記録される放送チャンネルの信号の優先順位を表すように構成される第２のテーブルと，
前記優先順位に従って，前記記録媒体から前記選択された放送チャンネルの信号を消去するように構成される消去部と，
をさらに具備することを特徴とする請求項１乃至３のいずれか１の請求項に記載の記録制御装置。
【請求項５】
前記優先順位が，放送チャンネル，または録画時間範囲に対して付与される，
ことを特徴とする請求項４記載の記録制御装置。
【請求項６】
前記優先順位が，前記放送チャンネルに対応する番組に付随する情報であり，
前記番組の付随情報に基づいて，前記消去部が，前記記録媒体から前記選択された放送チャンネルの信号を番組単位で消去するように構成される，
ことを特徴とする請求項４記載の記録制御装置。
【請求項７】
単一の放送チャンネルと，この放送チャンネルの信号を記録する第２の記録時間範囲を表すように構成される第３のテーブルと，
前記第３のテーブルに従って，前記単一の放送チャンネルの信号の，前記記録媒体への記録を制御するように構成される第２の記録制御部と，
をさらに具備することを特徴とする請求項１乃至６のいずれか１項に記載の記録制御装置。
【請求項８】
前記選択された放送チャンネルの信号の，記録媒体への記録の有無を表す情報を入力するように構成される入力部と，
前記情報に従って，前記選択された放送チャンネルの信号を記録する第１の領域と，前記単一の放送チャンネルの信号を記録する第２の領域と，を前記記録媒体に確保するように構成される領域確保部と，
をさらに具備することを特徴とする請求項７記載の記録制御装置。
【請求項９】
前記情報が前記選択された放送チャンネルの信号の記録が無いことを表し，かつ前記第１，第２の領域の双方が確保されている場合，前記領域確保部が前記第１の領域を解消し，前記第２の領域を拡張するように構成され，
前記第３の情報が前記選択された放送チャンネルの信号の記録が有ることを表し，かつ前記第２の領域のみが確保されている場合，前記領域確保部が前記第１の領域を確保するために前記第２の領域の一部を解消するように構成される，
ことを特徴とする請求項８記載の記録制御装置。
【請求項１０】
複数の放送チャンネルから記録する放送チャンネルを選択するための第１の項目と，前記選択された放送チャンネルに対応する記録時間範囲を設定するための第２の項目とを同時に提示するステップと，
前記選択された放送チャンネルおよび前記記録時間範囲を含むテーブルに従って，前記選択された放送チャンネルの信号の，記録媒体への記録を制御するステップと，
を具備することを特徴とする記録制御方法。